(57)【要約】  ＨＭＤデバイスの投射光学系の前面とＨＭＤデバイス装着者の眼部の前面の両方におけるレンズ保持フレームであって、レンズ保持フレームがブリッジを備え、ＨＭＤデバイスがブリッジを支持する鼻当てと少なくとも１つの矯正レンズを備える。レンズ保持フレームは、手動の圧力をかけて元の形状から展伸して少なくとも１つの過渡的形状となるように配備され、この過渡的形状にありかつＨＭＤデバイスの鼻当てで支持されているブリッジを有するレンズ保持フレームへ、ＨＭＤデバイスを可逆的に接続する接続要素を含む。
2010504546.tif 000002
【特許請求の範囲】
【請求項１】
ＨＭＤデバイスの投射光学系の前面およびＨＭＤデバイス装着者の眼部の前面の両方におけるレンズ保持フレームであって、
前記レンズ保持フレームがブリッジを備え、
前記ＨＭＤデバイスが前記ブリッジを支持する鼻当てを備え、
少なくとも1つのレンズが矯正レンズであり、
前記レンズ保持フレームが手動の圧力をかけて元の形状から展伸して少なくとも１つの過渡的形状となるように配備され、
前記レンズ保持フレームは、前記ＨＭＤデバイスを、過渡的形状にありかつ前記ＨＭＤデバイスの前記鼻当てで支持されている前記ブリッジを有するレンズ保持フレームへ、可逆的に接続する接続手段をさらに備えるレンズ保持フレーム。
【請求項２】
前記レンズ保持フレームが弾性材料で形成され、前記フレームが２つのレンズを保持し、少なくともその１つが矯正レンズであることを特徴とする請求項１に記載のレンズ保持フレーム。
【請求項３】
前記レンズ保持フレームが、４００〜７００Ｎ／ｍｍ2の引張強度を有する弾性材料で形成されることを特徴とする請求項１に記載のレンズ保持フレーム。
【請求項４】
前記レンズ保持フレームが、弾性材料で形成され、前記弾性材料がステンレススチールを含むことを特徴とする請求項１に記載のレンズ保持フレーム。
【請求項５】
前記フレームが、前記フレームの両端に同時に手動の圧力をかけることにより、元の形状から展伸するようになされていることを特徴とする請求項１に記載のレンズ保持フレーム。
【請求項６】
前記接続手段が、中央接続手段と前記フレームの両端に位置する２つの側部接続手段を備えることを特徴とする請求項１に記載のレンズ保持フレーム。
【請求項７】
前記ＨＭＤデバイスが、ハウジングと鼻当てとを含み、
前記接続手段が、前記ＨＭＤデバイスの前記鼻当ての上に前記レンズフレームの前記ブリッジを接続する１つの中央接続手段と、前記ＨＭＤハウジングの下に前記レンズフレームの両端を接続する２つの側部接続手段とを含むことを特徴とする請求項１に記載のレンズ保持フレーム。
【請求項８】
前記中央接続手段が、前記ＨＭＤデバイスの前記鼻当て上に載るように設計された前記ブリッジの山であることを特徴とする請求項６に記載のレンズ保持フレーム。
【請求項９】
前記側部接続手段が、前記レンズ保持フレームの各端部に溶接されたＳ字形をなし、下方へ延在する２つの側部ロッドであることを特徴とする請求項８に記載のレンズ保持フレーム。
【請求項１０】
ＨＭＤデバイスであって、
レンズ保持フレームが可逆的に接続されて、前記レンズ保持フレームが前記ＨＭＤデバイスの投射光学系の前面および前記ＨＭＤデバイスの装着者の眼部前面の両方に位置し、
少なくとも１つのレンズが矯正レンズであり、
前記レンズ保持フレームが圧力により元の形状とは異なる過渡的形状にて前記ＨＭＤデバイスに接続されることを特徴とするＨＭＤデバイス。
【請求項１１】
前記レンズ保持フレームが弾性材料で形成され、前記フレームが２つのレンズを保持し、少なくともその１つが矯正レンズであることを特徴とする請求項１０に記載のＨＭＤデバイス。
【請求項１２】
前記レンズ保持フレームが、４００〜７００Ｎ／ｍｍ2の引張強度を有する弾性材料で形成されることを特徴とする請求項１０に記載のＨＭＤデバイス。
【請求項１３】
前記レンズ保持フレームが、弾性材料で形成され、前記弾性材料がステンレススチールであることを特徴とする請求項１０に記載のＨＭＤデバイス。
【請求項１４】
前記鼻当てが前記ＨＭＤデバイスから着脱可能であることを特徴とする請求項１０に記載のＨＭＤデバイス。
【請求項１５】
前記ＨＭＤデバイスが、ハウジングと鼻当てとを含み、
前記接続手段が、前記ＨＭＤデバイスの前記鼻当ての上に前記レンズフレームの前記ブリッジを接続する１つの中央接続手段と、前記ＨＭＤハウジングの下に前記レンズフレームの両端を接続する２つの側部接続手段とを含むことを特徴とする請求項１０に記載のＨＭＤデバイス。
【請求項１６】
前記ＨＭＤデバイスがハウジングと鼻当てとを含み、
前記接続手段が、前記ＨＭＤデバイスの前記鼻当ての上に前記レンズフレームの前記ブリッジを接続する１つの中央接続手段と、前記ＨＭＤハウジングの下に前記レンズフレームの両端を接続する２つの側部接続手段とを含み、
前記中央接続手段は、前記ＨＭＤデバイスの前記鼻当ての曲線状の溝に嵌まるように設計された、前記レンズフレームの前記ブリッジ上の山であることを特徴とする請求項１０に記載のＨＭＤデバイス。
【請求項１７】
ＨＭＤデバイスの投射光学系の前面と前記ＨＭＤデバイス装着者の眼部の前面との両方に、レンズ保持フレームをＨＭＤデバイスに接続する方法であって、
少なくとも１つのレンズが矯正レンズであり、前記フレームが弾性材料で形成され、前記ＨＭＤデバイスへの接続手段を含み、
前記方法が、
前記レンズ保持フレームの両端を同時に押して、前記レンズ保持フレームを過渡的な形状に変えるステップと、
前記レンズ保持フレームの前記接続手段を前記ＨＭＤデバイスとの接続に好適な位置に配置するステップと、
前記レンズ保持フレームの両端にかけた前記圧力を開放し、前記接続手段が前記ＨＭＤデバイスと接続するステップと、
を含む方法。
【請求項１８】
前記レンズ保持フレームの両端を同時に押して、前記レンズ保持フレームを過渡的な形状に変えるステップと、
前記レンズ保持フレームの前記接続手段を前記ＨＭＤデバイスとの接続に好適な位置に配置するステップと、
前記レンズ保持フレームの両端にかけた前記圧力を開放し、前記接続手段が前記ＨＭＤデバイスと接続するステップと、
を有する、前記鼻当てを前記ＨＭＤデバイスへ接続する予備ステップを含むことを特徴とする請求項１７に記載の方法。
【発明の詳細な説明】
【技術分野】
【０００１】
本発明はＨＭＤ装置１（Ｈｅａｄ  Ｍｏｕｎｔｅｄ  Ｄｉｓｐｌａｙ  ｄｅｖｉｃｅ）に関する。より正確には、本発明は、少なくとも１つの矯正レンズを有するレンズ保持フレームが可逆的に接続されるＨＭＤ装置に関する。本発明はまた、少なくとも1つの矯正レンズを有するレンズ保持フレームにも関する。
【背景技術】
【０００２】
特許文献１は、矯正レンズとの組合せで使用可能なＨＭＤ装置に関する。このＨＭＤ装置は２つの接続装置を有する。それは磁石、つまりフレーム上にあるＴ字型の永久磁石であって、この磁石が眼鏡上の対応するＵ字型の永久磁石に接続される。これは、取外しが簡単でありながら、安定した接続を得ることを目指したものである。
【０００３】
特許文献２は、アイウェア物品のシールドに取り付けられる挿入レンズに関する。この挿入レンズは、挿入レンズの中央ブリッジ部をこれに対応するシールドの中央ノーズ部に接続するための手段と、ブリッジ部から外側に伸びてシールドに対してレンズの位置および方向を相対的に調節するために曲げられる上下の一組のアームと、を含む。
【先行技術文献】
【特許文献】
【０００４】
【特許文献１】米国特許第６，９４５，６４８号明細書
【特許文献２】米国特許出願公開第２００６／０２０３１８７号明細書
【発明の概要】
【発明が解決しようとする課題】
【０００５】
この矯正レンズをＨＭＤデバイスの投影光学系に対して正確、精密かつ、再現性よく固定することは主要なところであり、レンズの位置決めの再現性を確保することが課題である。さらに、磁性デバイスの使用は望ましくない。したがって、本発明の目標は、機械的手段を介してＨＭＤデバイスに可逆的な接続が可能なレンズ保持フレームを提供することである。可逆的ということは、レンズ保持フレームを好きな回数だけ着脱可能であり、その都度、ＨＭＤ投射光学系に対して再現性のある精度と調節可能性を以って配置できる、ということを意味する。
【課題を解決するための手段】
【０００６】
したがって、本発明は、ＨＭＤデバイスの投射光学系の前面とＨＭＤデバイス装着者の眼部の前面との両方におけるレンズ保持フレームに関し、レンズ保持フレームがブリッジを備え、ＨＭＤデバイスがブリッジを支持するための鼻当てを備え、少なくとも1つのレンズが矯正レンズであり、レンズ保持フレームが手動の圧力をかけて元の形状から展伸して少なくとも１つの過渡的な形状となるように配備され、過渡的形状にありかつＨＭＤデバイスの鼻当てで支持されたブリッジを有するレンズ保持フレームへＨＭＤデバイスを可逆的に接続するための接続手段を、レンズ保持フレームがさらに有する。
【０００７】
一実施形態によれば、レンズ保持フレームが弾性材料で形成され、フレームが２つのレンズを保持し、少なくともその1つが矯正レンズである。
【０００８】
別の実施形態によれば、レンズ保持フレームが、４００〜７００Ｎ／ｍｍ2の引張強度を有する弾性材料で形成される。
【０００９】
好ましくは、弾性材料がステンレススチールを含む。
【００１０】
一実施形態によれば、レンズ保持フレームは、前記フレームの両端に同時に手動の圧力
をかけて、元の形状から展伸するようになっている。
【００１１】
望ましくは、接続手段が、中央接続手段およびフレームの両端に位置する２つの側部接続手段を備える。
【００１２】
特定の実施形態によれば、ＨＭＤデバイスが、ハウジングと鼻当てとを含み、接続手段が、ＨＭＤデバイスの鼻当ての上にレンズ保持フレームのブリッジを接続する１つの中央接続手段と、ＨＭＤハウジングの下にレンズフレームの両端を接続する２つの側部接続手段とを含む。
【００１３】
本発明の一変形においては、中央接続手段は、前記ＨＭＤデバイスの鼻当て上に載るように設計されたブリッジの山（ｈｕｍｐ）である。
【００１４】
好ましくは、側部接続手段は、レンズ保持フレームの対向する各端部に溶接されたＳ字形で、下方へ延在する２つの側部ロッドである。
【００１５】
本発明は上述したように、レンズ保持フレームが可逆的に接続され、レンズ保持フレームがＨＭＤデバイスの投射光学系の前面およびＨＭＤデバイスの装着者の眼部前面の両方に位置し、少なくとも1つのレンズが矯正レンズであり、レンズ保持フレームが圧力により元の形状とは異なる過渡的形状にてＨＭＤデバイスに接続される、ＨＭＤデバイスにも関する。
【００１６】
レンズ保持フレームが弾性材料で形成され、好ましくは４００〜７００Ｎ／ｍｍ2の引張強度を有し、フレームが２つのレンズを保持し、その少なくとも１つは矯正レンズである。望ましくは、弾性材料がステンレススチールを含む。
【００１７】
一実施形態によれば、ＨＭＤデバイスが、ハウジングと鼻当てとを含み、接続手段が、ＨＭＤデバイスの鼻当ての上にレンズのブリッジを接続する１つの中央接続手段と、ＨＭＤハウジングの下にレンズフレームの両端を接続する２つの側部接続手段とを含む。別の実施形態によれば、ＨＭＤデバイスがハウジングと鼻当てとを含み、接続手段が、ＨＭＤデバイスの鼻当ての上にレンズフレームのブリッジを接続する１つの中央接続手段と、ＨＭＤハウジングの下にレンズフレームの両端を接続する２つの側部接続手段とを含み、ここで、中央接続手段はＨＭＤデバイスの鼻当てにある曲線状の溝に嵌まるように設計されたレンズフレームのブリッジ上の山である。
【００１８】
また、本発明は、ＨＭＤデバイスの投射光学系の前面とＨＭＤデバイス装着者の眼部の前面との両方に、レンズ保持フレームをＨＭＤデバイスに接続する方法に関連する。ここで、少なくとも１つのレンズが矯正レンズであり、また、フレームが弾性材料を含むかもしくは弾性材料で形成されており、ＨＭＤデバイスへの接続手段を含む。この方法が、レンズ保持フレームの両端を同時に押して、レンズ保持フレームを過渡的形状に変えるステップと、レンズ保持フレームの接続手段をＨＭＤデバイスとの接続に好適な位置に配置するステップと、レンズ保持フレームの両端にかけた圧力を開放して、接続手段がＨＭＤデバイスと接続するステップと、を含む。
【００１９】
一実施形態によると、本発明の方法が鼻当てをＨＭＤデバイスに接続する予備ステップを備える。別の実施形態によると、接続手段を配置するステップが、まずブリッジを鼻当て上に置くステップと、次に鼻当てのハウジングの下に側部接続手段を係合するステップとを含む。
【００２０】
以下の詳細な説明は特定の特徴を含むが、これは本発明の範囲を制限するものではなく、単に本発明の現時点におけるある好適な実施形態を説明するために提供されるものと解釈されるべきである。
【図面の簡単な説明】
【００２１】
【図１】レンズ保持フレーム１０を適用した、本発明によるＨＭＤデバイス１の斜視図である。
【図２】レンズ保持フレーム１０の正面図である。
【図３】ＨＭＤの中央部分の断面図であって、鼻当て６および鼻当て６の中の曲線状の溝８の断面図を含む断面図である。
【発明を実施するための形態】
【００２２】
本発明は、フレームに搭載されたレンズに関する。以下では「レンズ保持フレーム」と称する。このレンズ保持フレームはＨＭＤデバイスに着脱自在に取り付け可能である。また、本発明は、レンズ保持フレームを着脱自在に取り付けるのに適するＨＭＤデバイスにも関する。本発明において、着脱自在に取付可能とは、レンズ保持フレームのＨＭＤデバイスへの取り付け、取り外しが自在となっていることを意味する。本発明によると、レンズ保持フレームのＨＭＤデバイスへの接続及び分離は、ユーザが手動で道具なしで簡単に接続手段を開放することだけで可能となる。好ましくは、レンズ保持フレームの部分を押して側部接続手段をＨＭＤデバイスのハウジングの下から分離する。
【００２３】
好適な実施形態によれば、レンズ保持フレームに保持されるレンズの少なくとも1つは矯正レンズである。矯正レンズとは、ユーザの眼の障害を矯正する目的のレンズすなわちめがねを意味する。
【００２４】
好適な実施形態によれば、レンズ保持フレームは適当な弾性材料から形成される。つまり、弾性的なものであれば如何なる性質を有する材料でもよい。本発明において弾性的とは、フレームが弾性的な性質を有し、その結果、フレームの両端が同時に押し下げることができるが、元の位置に戻ろうとすることを意味する。一実施形態によると、レンズ保持フレームを構成する弾性材料は、ステンレススチールから形成されるか、もしくはステンレススチールを構成に含んでいる。好適な実施形態によれば、レンズ保持フレームは、８〜１０．５％ニッケル、１７〜１９％クロム、３〜４％銅、０．０８％未満の炭素、２％未満のマンガン、１％未満のシリコン、０．０４５％未満の燐を含む、弾性的なステンレスチールのワイヤである。一実施形態によれば、本発明によるレンズ保持フレームが、フレームの両端に同時に手動の圧力をかけることにより、元の形状から展伸するようになっている。
【００２５】
一実施形態によれば、レンズ保持フレームが、４００〜７００Ｎ／ｍｍ2、より好ましくは、５００〜６００Ｎ／ｍｍ2の引張強度を有する弾性材料で形成される。本発明の一実施形態によれば、レンズ保持フレームの最大伸び率は、３０〜５０％、好ましくは３５〜４５％である。
【００２６】
レンズ保持フレームの長さは、ＨＭＤデバイスのハウジングに合わせられる。一実施形態によれば、レンズ保持フレームの全長は１１０〜１５０ｍｍである。
【００２７】
レンズ保持フレームの幅は、ＨＭＤデバイスのハウジングに合わせられる。一実施形態によれば、レンズ保持フレームの全幅は１５〜２５ｍｍである。
【００２８】
レンズ保持フレームの厚さは、ＨＭＤデバイスのハウジングおよびＨＭＤデバイスの鼻当てに合わせられる。一実施形態によると、厚さは０．５〜５ｍｍである。
【００２９】
本発明によれば、レンズ保持フレームは２つのレンズからなり、その少なくとも１つは矯正レンズである。レンズは、ガラス、プラスチック、およびその他の任意の好適な材料で形成されもよい。レンズは好ましくはレンズ保持フレームに取外せないように固定されている。
【００３０】
本発明によると、レンズ保持フレームをＨＭＤデバイスに取り付ける手段である接続手段は、１つの中央接続手段とフレームの両端に位置する２つの側部接続手段とを含む。
【００３１】
本発明においては、接続という用語は、一方の手のＨＭＤデバイスと、フレームの両端に機械的な圧力をかけて緊張させて伸張した位置になっている他方の手のレンズ保持フレームとを接触させて、使用中にレンズ保持フレームがしっかりとＨＭＤデバイス上に保持され、かつ着脱自在であるように、レンズ保持フレームをＨＭＤデバイス上に機械的に取り付ける、すなわち接続することを意味する。
【００３２】
一実施形態によれば、中央接続手段はブリッジまたはブリッジの中央部分であるか、もしくはブリッジ内部にある。一実施形態によれば、ブリッジの中央部分は、ブリッジがＨＭＤデバイスによりよく嵌まるために、わずかに湾曲している山を形成している。好ましくは中央接続手段は、ＨＭＤデバイスの鼻当て上に載るように設計されたブリッジの山である。一実施形態によれば、側部接続手段は２つのＳ字型をした側面ロッドである。ロッドは、レンズフレームのそれぞれの側端に１つずつ溶接されており、下側へ伸びている。その結果、ユーザがレンズ保持フレームの両端を同時に垂直方向、そして次いで水平方向に押すと、Ｓ字型のロッドのそれぞれがＨＭＤデバイスの下に係合する。また、押し付けが終わると、Ｓ字型のロッドは弾性材料のばね効果でそのまま留まる。
【００３３】
一実施形態によれば、ＨＭＤデバイスが、ハウジングと鼻当てを含み、接続手段が、ＨＭＤデバイスの鼻当ての上にレンズフレームのブリッジを接続する１つの中央接続手段と、ＨＭＤハウジングの下にレンズフレームの両端を接続する２つの側部接続手段とを含む。
【００３４】
レンズ保持フレームはモールドされた一体物であってもよい。一実施形態によれば、レンズ保持フレームは縁なしである。別の実施形態によれば、レンズ保持フレームはブリッジの両側に溶接された半縁を含む。さらに別の実施形態によれば、レンズ保持フレームは、ブリッジを含む完全な縁１つと、ブリッジの両側から伸びる２つの部品とを含み、この部品にレンズが取り付けられる。
【００３５】
一実施形態では、レンズ保持フレームにはつる（ｔｅｍｐｌｅｓ）がない。
【００３６】
接続手段は、ＨＭＤデバイス上において、確実で、再現性よく、取り外し可能な位置に、レンズ保持フレームを調節できるようになっている。一実施形態によれば、ＨＭＤデバイスの上に接続されているとき、レンズ保持フレームはＨＭＤデバイスに対して常に同じ所定位置に保持することができる。これによって、ＨＭＤデバイスに対してレンズ保持フレームの好ましくない移動を防ぐことができる。本発明によれば、この接続手段は、レンズ保持フレームにより保持されているレンズを、ＨＭＤ投影光学系とレンズが適切に取付位置されかつレンズ整列された状態で、ＨＭＤデバイスの投影光学系の前に継続的に支持することを可能にする。本発明の利点は、レンズ保持フレームをＨＭＤデバイス上で迅速に取り付けあるいは取り替えができることである。このようにこの発明は、ＨＭＤデバイス使用時にレンズ保持フレームのＨＭＤデバイス上への確実な保持および安定した接続を提供できる。
【００３７】
接続手段は、レンズ保持フレームをＨＭＤデバイス上へ保持する保持面を含み、レンズ保持フレーム用弾性材料の弾性を利用する。保持面とは、摩擦およびレンズ保持フレーム材料の弾性による力によって、レンズ保持フレームがＨＭＤデバイス上に保持される面のことである。この保持面は、レンズ保持フレームの両側の端部それぞれと、レンズ保持フレームのブリッジの中央部分とに位置する。保持面のある場所には、摩擦を増大させるために、任意の適切な手段が講じられる。
【００３８】
弾性材料により、レンズ保持フレームは垂直面内および水平面内において弾性的に撓みやすい。接続位置においては、レンズ保持フレームは、中央接続点と側部接続点との間のばねのように作用する。
【００３９】
本発明はまた、ハウジング、つる、鼻当ておよび投影光学系からなるＨＭＤデバイスに関する。本発明のＨＭＤデバイスの鼻当ては、分離した部品でもよいし、ＨＭＤデバイスのハウジングに一体成形されてもよい。
【００４０】
鼻当てが分離した部品である実施形態においては、ＨＭＤデバイスに対して着脱自在である。この実施形態においては鼻当てがＨＭＤデバイスにクリップ留めされることが望ましい。鼻当ての下側面は、ユーザの形態に合わせて、さまざまな形を有することが可能である。ユーザは自分の鼻の形状によく合う鼻当てを選択することができる。好適な実施形態によれば、ユーザの鼻の上にかかる鼻当ての部分の形がいかなるものであれ、ＨＭＤデバイスに係合、好ましくはクリップ留めされる鼻当ての面積は常に同じである。別の好適な実施形態によれば、鼻当てには、レンズ保持フレームのブリッジが置かれて係合される上側面が含まれる。
【００４１】
本発明のＨＭＤデバイスは、ＨＭＤデバイスの投射光学系の前面とＨＭＤデバイス装着者の眼部の前面との両方におけるレンズ保持フレームとの接続に好適である。レンズ保持フレームはブリッジを備え、ＨＭＤデバイスはブリッジを支持する鼻当てを備え、少なくとも１つのレンズは矯正レンズである。レンズ保持フレームは手動の圧力をかけて元の形状から展伸して少なくとも１つの過渡的形状となるように配備される。レンズ保持フレームは、過渡的形状にありかつＨＭＤデバイスの鼻当てで支持されたブリッジを有するレンズ保持フレームへＨＭＤデバイスを可逆的に接続する接続手段をさらに有する。
【００４２】
一実施形態によれば、ＨＭＤデバイスのユーザの顔面の方向へ突き出した鼻当ては、その突起部分の上側面上にＨＭＤデバイスのハウジングに平行な溝を有している。
【００４３】
本発明の一実施形態によれば、本発明によるＨＭＤデバイスは、そのＨＭＤデバイスを頭に装着した観察者がＨＭＤデバイスで生成された画像（特に、仮想イメージ）のみを感知するように設けられる。あるいは、生成された画像を周辺環境の画像の上に重ね合わせて感知するようにも設けられるし、または、生成された画像を視野の一部で感知し、別の視野では周辺環境を感知するようにも設けられる。
【００４４】
さらに、このＨＭＤデバイスは、観察者の目の片方だけ、あるいは両方、のいずれにでも画像を生成するように設けることもできる。この後者の場合には、特に、右目と左目との間で画像をわずかにずらすことにより３次元表示を実現することが可能である。一実施形態によると、本発明のＨＭＤデバイスは、アナグリフ画像（３Ｄ画像）の感知に好適である。第１の実施形態によると、レンズ保持フレームは、第１のレンズが赤色用で、もう一方のレンズが青−緑色用となっている。第２の実施形態によると、ＨＭＤ投射光学系が、赤色用の１つのレンズと、青−緑色用のもう一方のレンズとを備えている。第３の実施形態によると、ＨＭＤデバイスが、ユーザによる画像のアナグリフ感知に適した画像処理を含んでいる。
【００４５】
図１はレンズ保持フレーム１０を適用したＨＭＤデバイス１を示す。ここでＨＭＤデバイス１は、ハウジング２、つる５、鼻当て６、投射光学系９を含む。鼻当て６はＨＭＤデバイス１のユーザの顔の方向へ突き出ている。図１に示す実施形態によると、鼻当て６の頂部７はＨＭＤデバイス１のハウジングに平行な溝８を有する。
【００４６】
ユーザが図１のＨＭＤデバイスを着用する、すなわち頭に装着すると、つる５が両耳で支えられ、鼻当てが鼻で支えられ、その結果ＨＭＤデバイスが普通の眼鏡のように着用される。
【００４７】
図２はレンズ保持フレーム１０を示す。
【００４８】
一実施形態によれば、レンズ保持フレームが、全長が１１０〜１２０ｍｍで全幅が３０〜４０ｍｍの略四角形を有する。好ましくは、それぞれのレンズは、高さが１７〜１８ｍｍ、幅が３３．５ｍｍの略四角形である。フレームの厚さは、レンズの厚さに合わせられる。一実施形態によると、フレームの厚さは１〜５ｍｍで、好ましくは１．７５ｍｍである。レンズ保持フレームは湾曲していてもよい。好ましくは、曲線の中立半径（ｎｅｕｔｒａｌ  ｒａｄｉｕｓ）は約９０〜１１０度である。一実施形態によれば、中立半径は１０４．６である。
【００４９】
特定の実施形態によると、レンズ保持フレームが、中央の山１２を有するブリッジ１１と、少なくとも１つが矯正レンズである２つのレンズとを含む。
好ましくは、ブリッジの長さは、２５〜４０ｍｍであり、好ましくは３０〜３８ｍｍである。
【００５０】
それぞれのレンズは縁に取り付けられ、縁は一方がブリッジに溶接され、もう一方が連結ロッド１４に溶接される。それぞれの縁の長さは、レンズの長さに合わせられる。
【００５１】
連結ロッド１４は、溶接されている縁に対して直角に下方向に伸び、好ましくは、垂直から約１０度ずれている。
【００５２】
ユーザは、レンズ保持フレーム１０のブリッジ１１をＨＭＤデバイス１の鼻当て６の上にまず載せ、次いで、その構成材料の弾性を利用して、ＨＭＤデバイス１のハウジング２の底面４へ向かって、レンズ保持フレーム１０を下へ押し曲げる。
【００５３】
レンズ保持フレーム１０のブリッジ１１を鼻当て６の頂部７にある溝８に係合し、レンズ保持フレームの両端を下方向へ撓ませ、それを押し込んでロッド７の下部をＨＭＤデバイス１の下に係合させることによって、レンズ保持フレーム１０のＨＭＤデバイス１への接続が完成する。
【００５４】
ロッド７は好ましくはＳ字型であり、Ｓ字の上部は縁１３に溶接される。Ｓ字の中央部は垂直下方に伸び、Ｓ字の端はＳ字の中央部に対して基本的に直交し、ハウジング１の底部４の方向へ伸びる。ロッド７は、レンズ保持フレームの垂直面に対し、約５〜３０度の角度をなしてもよい。ロッドの長さはハウジングに合わせて決まる。一実施形態においては、ロッドの長さは１４〜１５ｍｍである。
【００５５】
図３は、レンズ保持フレームを上に載せた鼻当ての例である。
【図１】
2010504546.tif 000003
【図２】
2010504546.tif 000004
【図３】
2010504546.tif 000005
【手続補正書】
【提出日】平成20年2月15日(2008.2.15)
【手続補正１】
【補正対象書類名】特許請求の範囲
【補正対象項目名】全文
【補正方法】変更
【補正の内容】
【特許請求の範囲】
【請求項１】
鼻当て（６）を有するＨＭＤデバイス（１）の投射光学系（９）の前面およびＨＭＤデバイス装着者の眼部の前面の両方におけるレンズ保持フレーム（１０）であって、
前記レンズ保持フレームがブリッジ（１１）を備え、
少なくとも1つのレンズが矯正レンズであり、
前記レンズ保持フレーム（１０）が手動の圧力をかけて元の形状から展伸して少なくとも１つの過渡的形状となるように配備され、
前記レンズ保持フレームは、前記ＨＭＤデバイスを、過渡的形状にあるレンズ保持フレームへ可逆的に接続し、前記ブリッジ（１１）が前記ＨＭＤデバイスの前記鼻当て（６）で支持されている、接続手段（１１、１４）をさらに備え、
前記接続手段（１１、１４）が、１つの中央接続手段（１１）と、前記フレーム（１０）の両端にあり、前記ＨＭＤデバイスのハウジング（２）の下側に係合するようになっている２つの側部接続手段（１４）と、を備える、
レンズ保持フレーム。
【請求項２】
前記レンズ保持フレームが弾性材料で形成され、前記フレームが２つのレンズを保持し、少なくともその１つが矯正レンズであることを特徴とする請求項１に記載のレンズ保持フレーム。
【請求項３】
前記レンズ保持フレームが、４００〜７００Ｎ／ｍｍ2の引張強度を有する弾性材料で形成されることを特徴とする請求項１に記載のレンズ保持フレーム。
【請求項４】
前記レンズ保持フレームが、弾性材料で形成され、前記弾性材料がステンレススチールを含むことを特徴とする請求項１に記載のレンズ保持フレーム。
【請求項５】
前記フレームが、前記フレームの両端に同時に手動の圧力をかけることにより、元の形状から展伸するようになされていることを特徴とする請求項１に記載のレンズ保持フレーム。
【請求項６】
前記ＨＭＤデバイスが、ハウジングと鼻当てとを含み、前記接続手段が、前記ＨＭＤデバイスの前記鼻当ての上に前記レンズフレームの前記ブリッジを接続する１つの中央接続手段と、前記レンズフレームの両端を前記ＨＭＤハウジングの下に接続する２つの側部接続手段を備えることを特徴とする請求項１に記載のレンズ保持フレーム。
【請求項７】
前記中央接続手段が、前記ＨＭＤデバイスの前記鼻当て上に載るように設計された前記ブリッジの山であることを特徴とする請求項１に記載のレンズ保持フレーム。
【請求項８】
前記側部接続手段が、前記レンズ保持フレームの各端部に溶接されたＳ字形をなし、下方へ延在する２つの側部ロッドであることを特徴とする請求項７に記載のレンズ保持フレーム。
【請求項９】
請求項１〜８の一項に記載のレンズ保持フレームと、少なくとも１つの矯正レンズとを含むアセンブリ。
【請求項１０】
ハウジング（２）と投射光学系（９）と鼻当て（６）とを備えるＨＭＤデバイス（１）であって、
中央接続手段（１１）と側部接続手段（１４）とを備えるレンズ保持フレーム（１０）が、前記ＨＭＤデバイスの前記鼻当て（６）により支持される前記中央接続手段（１１）と、前記ＨＭＤデバイスのハウジング（２）の下に係合する前記側部接続手段（１４）とによって可逆的に接続されて、前記レンズ保持フレーム（１０）が前記ＨＭＤデバイスの投射光学系（９）の前面および前記ＨＭＤデバイスの装着者の眼部前面の両方に位置し、
少なくとも１つのレンズが矯正レンズであり、
前記レンズ保持フレームが圧力により元の形状とは異なる過渡的形状にて前記ＨＭＤデバイスに接続されることを特徴とするＨＭＤデバイス。
【請求項１１】
前記レンズ保持フレームが弾性材料で形成され、前記フレームが２つのレンズを保持し、少なくともその１つが矯正レンズであることを特徴とする請求項１０に記載のＨＭＤデバイス。
【請求項１２】
前記レンズ保持フレームが、４００〜７００Ｎ／ｍｍ2の引張強度を有する弾性材料で形成されることを特徴とする請求項１０に記載のＨＭＤデバイス。
【請求項１３】
前記レンズ保持フレームが、弾性材料で形成され、前記弾性材料がステンレススチールであることを特徴とする請求項１０に記載のＨＭＤデバイス。
【請求項１４】
前記鼻当てが前記ＨＭＤデバイスから着脱可能であることを特徴とする請求項１０に記載のＨＭＤデバイス。
【請求項１５】
前記ＨＭＤデバイスが、ハウジングと鼻当てとを含み、
前記接続手段が、前記ＨＭＤデバイスの前記鼻当ての上に前記レンズフレームの前記ブリッジを接続する１つの中央接続手段と、前記ＨＭＤハウジングの下に前記レンズフレームの両端を接続する２つの側部接続手段とを含むことを特徴とする請求項１０に記載のＨＭＤデバイス。
【請求項１６】
前記ＨＭＤデバイスがハウジングと鼻当てとを含み、
前記接続手段が、前記ＨＭＤデバイスの前記鼻当ての上に前記レンズフレームの前記ブリッジを接続する１つの中央接続手段と、前記ＨＭＤハウジングの下に前記レンズフレームの両端を接続する２つの側部接続手段とを含み、
前記中央接続手段は、前記ＨＭＤデバイスの前記鼻当ての曲線状の溝に嵌まるように設計された、前記レンズフレームの前記ブリッジ上の山であることを特徴とする請求項１０に記載のＨＭＤデバイス。
【請求項１７】
ＨＭＤデバイスの投射光学系の前面と前記ＨＭＤデバイス装着者の眼部の前面との両方に、レンズ保持フレームをＨＭＤデバイスに接続する方法であって、
少なくとも１つのレンズが矯正レンズであり、前記フレームが弾性材料で形成され、前記ＨＭＤデバイスへの接続手段を含み、
前記方法が、
前記レンズ保持フレームの両端を同時に押して、前記レンズ保持フレームを過渡的な形状に変えるステップと、
前記レンズ保持フレームの前記接続手段を前記ＨＭＤデバイスとの接続に好適な位置に配置するステップと、
前記レンズ保持フレームの両端にかけた前記圧力を開放し、前記接続手段が前記ＨＭＤデバイスと接続するステップと、
を含む方法。
【請求項１８】
前記鼻当てを前記ＨＭＤデバイスへ接続する予備ステップを含むことを特徴とする請求項１６に記載の方法。
【手続補正２】
【補正対象書類名】明細書
【補正対象項目名】００１９
【補正方法】変更
【補正の内容】
【００１９】
一実施形態によると、本発明の方法が鼻当てをＨＭＤデバイスに接続する予備ステップを備える。別の実施形態によると、接続手段を配置するステップが、まずブリッジを鼻当て上に置くステップと、次にＨＭＤデバイスのハウジングの下に側部接続手段を係合するステップとを含む。
【手続補正３】
【補正対象書類名】明細書
【補正対象項目名】００５３
【補正方法】変更
【補正の内容】
【００５３】
レンズ保持フレーム１０のブリッジ１１を鼻当て６の頂部７にある溝８に係合し、レンズ保持フレームの両端を下方向へ撓ませ、それを押し込んでロッド１４の下部をＨＭＤデバイス１の下に係合させることによって、レンズ保持フレーム１０のＨＭＤデバイス１への接続が完成する。
【手続補正４】
【補正対象書類名】明細書
【補正対象項目名】００５４
【補正方法】変更
【補正の内容】
【００５４】
ロッド１４は好ましくはＳ字型であり、Ｓ字の上部は縁１３に溶接される。Ｓ字の中央部は垂直下方に伸び、Ｓ字の端はＳ字の中央部に対して基本的に直交し、ハウジング１の底部４の方向へ伸びる。ロッド１４は、レンズ保持フレームの垂直面に対し、約５〜３０度の角度をなしてもよい。ロッドの長さはハウジングに合わせて決まる。一実施形態においては、ロッドの長さは１４〜１５ｍｍである。
【国際調査報告】
2010504546.tif 000006
2010504546.tif 000007
2010504546.tif 000008